(57)【特許請求の範囲】
【請求項１】
第一の操作コードを取着した第一の接続部材と第二の操作コードを取着した第二の接続部材を弾性的に嵌合して、前記第一の操作コードと第二の操作コードにより構成される無端状の操作コードを中間部で接続する操作コード接続具の製造方法において、
第一の操作コード又は第二の操作コードの少なくともいずれかに所定間隔毎に第一の接続部材又は第二の接続部材をアウトサート成型し、前記アウトサート成型した第一の接続部材又は第二の接続部材の先端縁で第一の操作コード又は第二の操作コードを切断することにより第一の接続部材を備えた第一の操作コード又は第二の接続部材を備えた第二の操作コードを形成することを特徴とする操作コード接続具の製造方法。
【請求項２】
前記第一の接続部材はオス型部材であり、前記第二の接続部材はメス型部材であることを特徴とする請求項１に記載の操作コード接続具の製造方法。
【発明の詳細な説明】
【技術分野】
【０００１】
この発明は、横型ブラインド、たくし上げカーテン、プリーツカーテン等の操作コードの中間部を着脱可能に接続する操作コード接続具の製造方法に関するものである。
【背景技術】
【０００２】
ヘッドボックスから垂下される操作コードでスラットを昇降操作する横型ブラインドでは、操作コードの端部がボトムレールに取着されるため、スラットを最下限まで下降させた状態では、操作コードの下縁部が無端状に垂下される。すると、操作コードが居住者に引っ掛かるおそれがある。
【０００３】
そこで、操作コードの中間部を接続具で接続して、操作コードに所定値以上の力が作用した場合には、接続具が外れて、操作コードの無端状状態を解除するようにする構成が提案されている。
【０００４】
図５及び図６は、上記のような接続具の従来例を示す。図５に示す接続具は、オス型部材１とメス型部材２とが弾性的に嵌合されて、操作コード３，４を連結するものである。そして、図６に示すように、操作コード３，４の端部に結び目５，６が形成されて、オス型部材１及びメス型部材２からの抜け止めとなっている。
【０００５】
このような構成により、操作コード３，４が接続具で接続されるとともに、操作コード３，４に所定値以上の力が作用すると、オス型部材１とメス型部材２との嵌合が外れて、居住者等への引っ掛かりを未然に防止することが可能となる。
【０００６】
特許文献１には、操作紐をボトムレールに取付ける取付具が開示されている。特許文献２には玉連鎖を連結する結合錠が開示されている。また、特許文献３には図５と同様な接続具が開示されている。
【０００７】
また、特許文献４，５にはボールチェーンを環状に接続する構成が開示されている。
【先行技術文献】
【特許文献】
【０００８】
【特許文献１】特開昭５８−５１３５９号公報
【特許文献２】特開平９−１８９１８０号公報
【特許文献３】特開２００３−１８４４５６号公報
【特許文献４】実公昭６２−４５０２５号公報
【特許文献５】特開平５−２９５６４２号公報
【発明の概要】
【発明が解決しようとする課題】
【０００９】
図５及び図６に示す接続具では、オス型部材１及びメス型部材２に結び目５，６を収納する必要があるため、オス型部材１及びメス型部材２が大型化し、美観上好ましくない。
特許文献１には、操作コードの中間部を接続する接続具は開示されていない。特許文献２では、玉連鎖の玉を殻包皮内に収容する作業が必要であるとともに、玉を収容するスペースが必要となるため、殻包皮が大型化する。
【００１０】
特許文献３は、図６と同様な結び玉を必要とする。また、特許文献４，５は、ボールチェーンを接続するものであり、所定値以上の力が作用したとき、接続部分が外れるようにする思想は開示されていない。
【００１１】
この発明の目的は、美観上好ましい小型の操作コード接続具の製造方法を提供することにある。
【課題を解決するための手段】
【００１２】
請求項１では、第一の操作コードを取着した第一の接続部材と第二の操作コードを取着した第二の接続部材を弾性的に嵌合して、前記第一の操作コードと第二の操作コードにより構成される無端状の操作コードを中間部で接続する操作コード接続具の製造方法において、第一の操作コード又は第二の操作コードの少なくともいずれかに所定間隔毎に第一の接続部材又は第二の接続部材をアウトサート成型し、前記アウトサート成型した第一の接続部材又は第二の接続部材の先端縁で第一の操作コード又は第二の操作コードを切断することにより第一の接続部材を備えた第一の操作コード又は第二の接続部材を備えた第二の操作コードを形成する。
【００１３】
請求項２では、前記第一の接続部材はオス型部材であり、前記第二の接続部材はメス型部材とした。
【発明の効果】
【００１６】
本発明によれば、美観上好ましい小型の操作コード接続具の製造方法を提供することができる。
【図面の簡単な説明】
【００１７】
【図１】一実施の形態の接続具を示す分解斜視図である。
【図２】一実施の形態の接続具の使用状態を示す正面図である。
【図３】一実施の形態の接続具を示す断面図である。
【図４】一実施の形態の接続具のオス型部材を成型した操作コードを示す正面図である。
【図５】従来例を示す正面図である。
【図６】従来例を示す分解斜視図である。
【発明を実施するための形態】
【００１８】
以下、この発明を具体化した一実施の形態を図面に従って説明する。図２に示すように、横型ブラインドの操作コード１１の端部は、ボトムレール１２に接続されて無端状に垂下されている。そして、操作コード１１の操作により、ボトムレール１２が昇降されてスラット１３が昇降される。なお、スラット１３の角度調節操作は、操作棒２１の回動操作により行われる。
【００１９】
前記操作コード１１は、前記ボトムレール１２近傍で分離されて操作コード１１ａ，１１ｂで構成され、その分離部分が接続具１４で接続されている。
前記接続具１４の構成を図１及び図３に従って説明すると、接続具１４は合成樹脂で成型されたオス型部材（第一の接続部材）１５とメス型部材（第二の接続部材）１６とで構成される。前記メス型部材１６は筒状に形成され、その先端部内周面には係止溝１７が周方向に形成されている。
【００２０】
メス型部材１６の基端部には、操作コード１１ａを挿通可能とした挿通孔１８が形成されている。そして、操作コード１１ａをメス型部材１６に取着するには、操作コード１１ａの端部をメス型部材１６の基端側から挿通孔１８に挿通する。そして、操作コード１１ａの端部にかしめ部材１９を装着してかしめると、図３に示すように、メス型部材１６内でかしめ部材１９が挿通孔１８の周縁部に当接して、操作コード１１ａの端部がメス型部材１６に保持される。
【００２１】
前記オス型部材１５は、前記操作コード１１ｂの端部にアウトサート成型により取着される。すなわち、図４に示すように、オス型部材１５は一本の操作コード１１ｂに対し、所定間隔毎にアウトサート成型により形成され、成型後にオス型部材１５の先端縁Ｘで操作コード１１ｂを切断することにより、先端にオス型部材１５が取着された所定長さの操作コード１１ｂが形成される。そして、操作コード１１ｂの端部がボトムレール１２に取着される。
【００２２】
前記オス型部材１５の先端部は、メス型部材１６の先端部に嵌合可能とした径で形成され、先端部外周面には前記係止溝１７に係合可能とした突条２０が周方向に形成されている。
【００２３】
そして、オス型部材１５の先端部をメス型部材１６の先端部に嵌合すると、突条２０が係止溝１７に弾性的に係合するようになっている。この状態では、オス型部材１５及びメス型部材１６に両者を引き離す方向に所定値以上の力が作用すると、オス型部材１５とメス型部材１６との嵌合が外れるようになっている。
【００２４】
このような接続具で接続された操作コード１１を備えた横型ブラインドでは、図２に示すように、操作コード１１が無端状に垂下されている。この状態で、例えば操作コード１１が居住者に引っ掛かった場合には、オス型部材１５とメス型部材１６との嵌合が外れる。
【００２５】
上記のように構成された接続具では、次に示す作用効果を得ることができる。
（１）居住者等が操作コード１１に引っ掛かって、オス型部材１５とメス型部材１６とに両者を引き離す方向の所定値以上の力が作用すると、オス型部材１５とメス型部材１６との嵌合が外れる。従って、操作コード１１の引っ掛かりによる障害を未然に防止することができる。
（２）操作コード１１ｂにオス型部材１５をアウトサート成型することにより、操作コード１１ｂの端部にオス型部材１５が取着される。また、メス型部材１６の挿通孔１８に挿通した操作コード１１ａの端部にかしめ部材１９を取着することにより、メス型部材１６が操作コード１１ａの端部に取着されるので、オス型部材１５及びメス型部材１６内に結び目等を収納する必要はない。また、かしめ部材１９はほぼ操作コード１１ａと同径である。従って、オス型部材１５及びメス型部材１６の径を小さくして、接続具を小型化することができる。
（３）接続具を小型化して、美観を向上させることができる。
（４）操作コード１１ｂにオス型部材１５を所定間隔毎にアウトサート成型し、オス型部材１５の先端で操作コード１１ｂを切断することにより、同一長さの操作コード１１ｂを備えた多数のオス型部材１５を容易に形成することができる。従って、このようなオス型部材１５を備えた操作コード１１ｂをボトムレール１２に取着すれば、ボトムレール１２と接続具との間隔を一定とした多数の横型ブラインドを容易に組み立てることができる。
【００２６】
上記実施の形態は、以下の態様で実施してもよい。
・上記の接続具を、横型ブラインドのスラット角度調節用コードの２個のチルトタッセル間に取着してもよい。
・メス型部材１６の基端部に、操作コード１１ａをアウトサート成型してもよい。
・オス型部材１５に操作コード１１ｂを挿通し、その操作コード１１ｂの端部にかしめ部材を取着して抜け止めとしてもよい。
【符号の説明】
【００２７】
１１，１１ａ，１１ｂ…操作コード、１４…接続具、１５…第一の接続部材（オス型部材）、１６…第二の接続部材（メス型部材）、１９…かしめ部材。
【図１】
0005376733.tif 000002
【図２】
0005376733.tif 000003
【図３】
0005376733.tif 000004
【図４】
0005376733.tif 000005
【図５】
0005376733.tif 000006
【図６】
0005376733.tif 000007